(57)【要約】【課題】小型マッサージ器において、振動モータの振動が把持部を振動させることにより使用者にもたらされる手指のしびれ、違和感、疲労感、その他の不快感をなくして快適な使用感を維持し、更に振動音を静音化する。【解決手段】加振部５０、５２、及び該加振部を振動させる振動モータ４０を備えたヘッドユニット３０と、振動モータの電源となる電池と、振動モータ、及び電池を収容し、且つ把持部を備えたボディ１と、を備え、ボディに固定したゲル状樹脂製の緩衝部材によりヘッドユニットをボディに対して浮動状態で支持した。【選択図】図１
2020141849.tif 000002
【特許請求の範囲】
【請求項１】
加振部、及び該加振部を振動させる振動モータを備えたヘッドユニットと、前記振動モータの電源となる電池と、前記振動モータ、及び前記電池を収容し、且つ把持部を備えたボディと、を備えたマッサージ器であって、
前記ボディに固定したゲル状樹脂製の緩衝部材により前記ヘッドユニットを前記ボディに対して浮動状態で支持したことを特徴とするマッサージ器。
【請求項２】
前記振動モータと前記把持部との間に前記緩衝部材の少なくとも一部を配置したことを特徴とする請求項１に記載のマッサージ器。
【請求項３】
前記振動モータの軸方向長内に前記把持部の少なくとも一部が位置していることを特徴とする請求項２に記載のマッサージ器。
【請求項４】
前記緩衝部材は、中心部に軸方向に貫通する中心穴を有し、該中心穴内に前記振動モータが配置され、外周面にて前記ボディ内壁面と対面していることを特徴とする請求項２又は３に記載のマッサージ器。
【発明の詳細な説明】
【技術分野】
【０００１】
本発明は顔面、頭部、頸部、その他の敏感な身体部位を局部的にマッサージするのに適し、しかも振動モータの振動により使用者の手に生じるしびれ等の違和感、不快感を効果的に減少させることができる使用感の優れたマッサージ器に関する。
【背景技術】
【０００２】
片手で把持できる程度に小型で、振動モータの振動によりツボ等の身体部位を局部的に刺激することによって血流の促進、老廃物の除去等といった効果を発揮する小型マッサージ器が種々提案されている（特許文献１、特許文献２、特許文献３）。
何れのマッサージ器にあっても、振動モータの振動が皮膚と接触する加振部分のみならず、使用者が把持する把持部を経由して手指に伝わるため、手指のしびれ、違和感、疲労感等の不快感をもたらすという問題がある。
つまり、従来のマッサージ器は、把持する手指の使用感を十分に配慮した構成とはなっていなかった。従って、特に手指の皮膚が弱かったり、感覚が敏感な使用者は勿論、手指の感覚が正常な者にあっても、中・長時間の使用により手指のしびれ等の不快感に耐えがたくなって使用を中止せざるを得なくなり、折角購入しても使用しなくなるというクレームが報告されている。
【０００３】
また、外殻をなすケースの材質、その他の部品の組み付け構造によっては、振動モータの振動周波数との共振により不快な振動が発生して手指のしびれなどの不快感が増幅されたり、耳障りな振動音が発生することも報告されている。
このため、皮膚が弱い者のみならず、健常者の目、耳、こめかみ等の顔面部位、頸部、その他の敏感な身体部位を時間を掛けて効果的にマッサージする手段としては不向きとされていた。
更に振動モータから加振部に伝達されるべき振動エネルギーの多くが把持部に分散されるため、振動モータの効率が低下して電池の消耗が促進されるという問題もある。
【先行技術文献】
【特許文献】
【０００４】
【特許文献１】特開２００４−３５８０８８公報
【特許文献２】特開２００８−２６４０３１公報
【特許文献３】特開２０１０−８８５５８公報
【発明の概要】
【発明が解決しようとする課題】
【０００５】
本発明は、マッサージ器において、振動モータの振動が把持部を振動させることにより使用者にもたらされる手指のしびれ、違和感、疲労感、その他の不快感をなくして快適な使用感を維持し、更に振動音を静音化する技術を提供するものである。
【課題を解決するための手段】
【０００６】
上記目的を達成するため、本発明に係るマッサージ器は、加振部、及び該加振部を振動させる振動モータを備えたヘッドユニットと、前記振動モータの電源となる電池と、前記振動モータ、及び前記電池を収容し、且つ把持部を備えたボディと、を備えたマッサージ器であって、前記ボディに固定したゲル状樹脂製の緩衝部材により前記ヘッドユニットを前記ボディに対して浮動状態で支持したことを特徴とする。
【発明の効果】
【０００７】
本発明のマッサージ器によれば、振動モータの振動が把持部を振動させることにより使用者にもたらされる手指のしびれ、違和感、疲労感、その他の不快感をなくして快適な使用感を維持し、更に振動音を静音化することができる。
【図面の簡単な説明】
【０００８】
【図１】（ａ）（ｂ）（ｃ）（ｄ）及び（ｅ）は本発明の一実施形態に係るマッサージ器の外観構成を示す正面図、右側面図、上面図、底面図、及び背面図であり、同図（ｆ）は外観斜視図、同図（ｇ）は（ａ）のＡ−Ａ断面図、同図（ｈ）は（ｂ）のＢ−Ｂ断面図である。
【図２】（ａ）及び（ｂ）はマッサージ器にキャップを被せた状態を示す正面図、及びＣ−Ｃ断面図である。
【図３】本発明のマッサージ器の各構成部品を示す分解斜視図である。
【図４】ボディ、防振ゲル、及びヘッドユニットの位置関係を示す分解斜視図である。
【図５】（ａ）乃至（ｅ）は防振ゲルによりヘッドユニットを支持した状態を示す外観斜視図、正面図、平面図、底面図、及びＤ−Ｄ断面図である。
【図６】（ａ）乃至（ｆ）は防振ゲル単体の正面図、平面図、底面図、Ｅ−Ｅ縦断面図、Ｆ−Ｆ横断面図、Ｆ−Ｆ断面斜視図である。
【図７】（ａ）（ｂ）及び（ｃ）は防振ゲルの中立状態を示す斜視図、右捻り状態を示す斜視図、及び左捻り状態を示す斜視図である。
【発明を実施するための形態】
【０００９】
以下、本発明を図面に示した実施の形態により詳細に説明する。
図１（ａ）（ｂ）（ｃ）（ｄ）及び（ｅ）は本発明の一実施形態に係るマッサージ器の外観構成を示す正面図、右側面図、上面図、底面図、及び背面図であり、同図（ｆ）は外観斜視図、同図（ｇ）は（ａ）のＡ−Ａ断面図、同図（ｈ）は（ｂ）のＢ−Ｂ断面図である。図２（ａ）及び（ｂ）はマッサージ器にキャップを被せた状態を示す正面図、及びＣ−Ｃ断面図である。図３は本発明のマッサージ器の各構成部品を示す分解斜視図である。図４はボディ、防振ゲル、及びヘッドユニットの位置関係を示す分解斜視図である。図５（ａ）乃至（ｅ）は防振ゲルによりヘッドユニットを支持した状態を示す外観斜視図、正面図、平面図、底面図、及びＤ−Ｄ断面図である。図６（ａ）乃至（ｆ）は防振ゲル単体の正面図、平面図、底面図、Ｅ−Ｅ縦断面図、Ｆ−Ｆ横断面図、Ｆ−Ｆ断面斜視図である。図７（ａ）（ｂ）及び（ｃ）は防振ゲルの中立状態を示す斜視図、右捻り状態を示す斜視図、及び左捻り状態を示す斜視図である。
【００１０】
本発明に係るマッサージ器１は、図１に示すように、把持部１２を備えたボディ１０と、加振部５０、５２、及び加振部を振動させる振動モータ４０を備えたヘッドユニット３０と、を備え、ボディ１０に固定した防振ゲル（ゲル状樹脂製緩衝部材）６０によりヘッドユニット３０を浮動状態で支持した構成が特徴的である。
言い換えれば、振動モータ４０及び加振部５０、５２からボディ１０（把持部１２）へ向かう振動の伝搬経路に防振ゲル６０の少なくとも一部を配置することによりボディ１０（把持部１２）への振動伝達を減衰、或いは遮断して、振動モータからの振動エネルギーの大半が効率よく加振部５０、５２に伝達されるようにしている。また、ボディへ向かう振動エネルギーを減衰、遮断することにより把持部を把持する手指の震え、振動による操作性の低下や、手指のしびれ等の不快感、違和感を解消することができる。
【００１１】
図２、図３中における符号１００は、マッサージ器１のほぼ全体を覆うための着脱自在なキャップである。
以下、マッサージ器１の構成を詳細に説明する。
【００１２】
マッサージ器１は、ボディ１０、ヘッドユニット３０、防振ゲル（緩衝部材）６０、充電式の電池８０、プリント基板８５、スイッチ片９０などから概略構成されている。
ボディ１０は、大径で略円筒状の外側ボディ片１１と、小径で略円筒状の内側ボディ片１５と、を備えている。
外側ボディ片１１の外面は使用者が使用時に手指で把持する把持部１２を構成しており、上面は大径の開口部１１ａとなっており、下面中央にはスイッチ片９０を装備する小径の開口部１１ｂが形成されている。外側ボディ片の外面下部には図示しない充電用のケーブルの端子と接続するためのコネクタ１３が配置されており、コネクタは電池８０と電気的に接続されている。
内側ボディ片１５は、外側ボディ片１１よりも軸方向長が短尺であり、上面は大径の開口部１５ａとなっており、下面中央には電池やプリント基板とモータとを接続する図示しないハーネスを挿通するための小径の開口部１５ｂが形成されている。内側ボディ片の外面は、外側ボディ片１１の内面と密着整合するように寸法設定されている。内側ボディ片１５はその上端縁を外側ボディ片１１の上端縁と同等の高さ位置に配置した状態で押さえリング５４により回転方向、上下方向へ位置ズレ不能に固定される。
【００１３】
ヘッドユニット３０は、ヘッドベース３２と、振動モータ４０と、硬質樹脂から成り、且つ下面が開放したドーム形状体であってモータを覆うヘッド５０と、ヘッド５０の外面に内面で接触した状態で配置されるシリコン樹脂などの軟質樹脂から成るドーム状の軟質カバー５２と、軟質カバーの下面開口の周縁から張り出したフランジ部５２ａを外側ボディ片１１と内側ボディ片１５の上部外周縁に対して固定するための押さえリング５４と、を概略備えている。軟質カバーのフランジ部５２ａは、内側の環状の凹所５２｀と、凹所５２｀の外周に張り出された鍔部５２ａ”と、を備え、鍔部５２ａ”が両ボディ片１１、１５の上部外周縁に添設された状態となる。押さえリング５４のリング状の各部は縦断面形状が逆Ｕ字状をなしており、軟質カバーの鍔部５２ａ”を介して両ボディ片１１、１５の上部外周縁に跨がって被さる形で組み付けられることにより軟質カバー５２を両ボディ片に固定する。
軟質カバー５２の外周部に設けたフランジ部５２ａが両ボディ片１１、１５の上部外周縁に添設されていることにより、加振部としての軟質カバー５２のドーム状部分の振動が両ボディ片に伝達されることを阻止する防振、吸振機能を発揮している。
【００１４】
加振部を構成するヘッド５０、及び軟質カバー５２は、マッサージ器１を組み立てた状態では、各ボディ片１１、１５の上端開口縁から上方に突出しており、ヘッドベース３２が防振ゲル６０により浮動状態で支持されているため、防振ゲル６０のクッション作用によりヘッドユニット３０全体として弾性的に出没、傾倒、変位自在となっている。
ヘッドベース３２は、上部開口から振動モータ４０を差し込んで内部に収容して内底面にて脱落不能に支持する中空の筒状部３４と、筒状部の上端部に設けたフランジ３６と、を備え、フランジ３６にはヘッド５０の底面のネジ穴をネジ止めするための穴３６ａが貫通形成されている。つまり、ヘッド５０の底部のネジ穴５０ａはフランジ３６上にビスＢ１によりネジ止め固定される。
【００１５】
振動モータ４０は、モータ本体４２と、モータ本体の出力軸に固定された振動片４４と、を備えており、振動片が偏心回転することにより発生する振動がヘッド５０、及び軟質カバー５２を振動させる。振動モータ４０は、モータ本体４２がヘッドベースの筒状部３４内に収容されて位置決め固定されることにより、振動片４４の回転による振動をヘッドベースを介して加振部（ヘッド５０、軟質カバー５２）に対して確実に伝達する。また、振動モータからヘッド５０、及び軟質カバー５２に伝達された振動は、防振ゲル６０の防振作用によって減殺されてボディ側へ伝達されない。
ヘッドベース３２のフランジ３６の下面と防振ゲル６０の上面との間にはフィルム状、且つドーナツ状のインシュレータシート５５が配置されて挟圧保持されることにより、シリコン樹脂製の軟質カバー５２のフランジ部５２ａが防振ゲル上部と接触することを防止している。つまり、軟質カバー５２は、ヘッド５０とヘッドベース３２を覆う形状を有しているため、インシュレータシート５５が存在しない場合には防振ゲル上面と軟質カバーの下面とが直接接触してしまう。軟質カバー５２を構成するシリコン樹脂が防振ゲルを構成するゲル状エラストマーや軟質ウレタンと接触すると、防振ゲル中の油分から受ける影響でシリコン樹脂が膨潤して劣化するため、インシュレータシート５５を介在させている。
【００１６】
防振ゲル（緩衝部材）６０は、高い柔軟性（低反発性）を有した超軟質樹脂素材、例えば含油ゲル状樹脂製エラストマー、超軟質ウレタン等から構成されている。防振ゲル６０は、軟質カバー５２の素材として用いるシリコンゴム等よりも大幅に柔軟性が高いため、振動発生源である振動モータ４０及び加振部とボディ１０の内周壁（特に把持部１２）との間に防振ゲルを配置してボディ内壁の少なくとも一部と接触させることにより高い柔軟性、クッション性（防振性）を確保し、振動モータ（加振部）からボディ（把持部）に伝達されようとする振動を吸収、緩和することができる。
【００１７】
本例では、ボディ１０とヘッドユニット３０とに対して防振ゲル６０を固定するために螺子止めを行っている。即ち、防振ゲルは中心部に軸方向に貫通する中心穴（ヘッドユニット保持穴）６２を有し、この中心穴内にヘッドベース３２の筒状部３４を弾性的に圧入した状態でヘッドベースに組み付けられる。防振ゲル６０の中心穴６２の内壁上部には内壁を周回する円形溝６２ａが形成されており、この円形溝内に硬質樹脂から成る小径のインナーリング７０を予め嵌合させておく。防振ゲル上面とインナーリングには夫々対応する位置に小孔６０ａ、７０ａが形成されており、各小孔をビスＢ２により連結固定する。また、ビスＢ２の先端は防振ゲル上面の小孔６０ａを越えてインシュレータシート５５の小孔５５ａを経てヘッドベース３２のネジ穴３６ｂに螺着される。つまり、ビスＢ２は、インナーリング７０、インシュレータ５５を介して防振ゲルをヘッドベース３２に対して固定する。
【００１８】
次に、防振ゲル６０の外周面下部には外周面を周回する円形溝６４が形成されており、円形溝６４内には硬質樹脂から成るアウターリング７５が嵌合される。アウターリング７５の下面には所定の周方向ピッチでスペーサとして機能する小突起７５ａが突設されており、各小突起７５ａは内側ボディ片１５の内底面と接することにより防振ゲル６０の底面を内側ボディ片内底面に位置決めする。アウターリング７５には周方向に所定のピッチで穴７５ｂが形成されており、各穴７５ｂ内にビスＢ３を差し込んで内側ボディ片１５の内底面に螺着することにより、防振ゲルの下部は内側ケース内底面に固定される。つまり、防振ゲル６０は中心穴６２内にヘッドベースの筒状部３４を弾性的に保持する一方で、上面側はインナーリング７０を介してヘッドユニット３０に固定され、下面側はアウターリング７５を介して内側ボディ片内底面に固定され、外周面（本例では下部のみ）は内側ボディ片内壁と接触している。言い換えれば、ボディ１０により下部を固定（拘束）された防振ゲル６０は、上部においてヘッドユニット３０と固定されることにより、ヘッドユニットを浮動状態で支持した状態となっている。防振ゲルとボディとの接触面積をゼロ、或いは少なくすることによっても、振動源としての振動モータ、加振部からボディへの振動伝搬を大幅に減衰、減殺することができる。ただ、仮に防振ゲルとボディとの接触面積を広くしたとしても、防振ゲルの減衰効果により振動源からの振動はボディに到達する前に無害な程度に減衰される。つまり、図示の例では防振ゲル６０はその軸方向下部のみにおいてボディ内周面（内側ボディ片内周面）と接触しているが、これは一例に過ぎず、ボディ内周面との接触面積をゼロとしてもよいし、接触面積を図示のものよりも大きくしてもよい。
【００１９】
このため、防振ゲル６０は、振動モータ４０、及び加振部５０、５２の回転により発生する回転方向への振動、応力を自ら回転方向へ捻れ変形することにより吸収緩和し、把持部を把持する使用者の手指に伝達される振動を減殺することができる。図７（ｂ）及び（ｃ）は防振ゲルがその中心軸を中心として左右に捻れを起こしている状態を示しており、このように回転方向、周方向へ柔軟に変形することができるために、回転方向への応力を効率的に吸収緩和することができる。
防振ゲル６０とヘッドユニット３０（加振部）とが一体化されているため、振動モータ、及び加振部の振動に起因して伝搬される回転方向以外の方向への振動、例えば振動モータ、及び加振部が生成する軸方向、その他の方向への振動についても防振ゲルは効果的に吸収緩和することができる。
【００２０】
また、防振ゲルは、加振部を構成する軟質カバー５２が被マッサージ部（皮膚）と接触することにより発生する軸方向への応力を自ら伸縮することにより吸収緩和することができるため、被マッサージ部に対する加振部のクッション性を高めて使用感、接触感を良好にすることができる。
【００２１】
従来、振動モータとボディ片底部との間に金属製のコイルバネを配置することにより、振動モータが生成する軸方向への振動を弾性的に受承するようにしたマッサージ器は種々提案されているが、振動モータや加振部の外径方向位置に把持部（外側ボディ片の把持部）が存在する場合には把持部１２への振動伝達を充分に解消することが難しく、手指のしびれ等の不快感を解消することができなかった。仮に振動モータの外径方向に位置する把持部への振動を減衰するために振動モータと把持部との間にコイルバネ、板ばね等の緩衝材を配置するとすれば、部品点数が増大して構造が複雑化し、大型化するという問題がある。
【００２２】
一方、掌サイズの小型マッサージ器にあっては振動モータの外径方向に把持部が位置することとなるため、把持部１２に伝達される振動による手指のしびれを解消すべしという要請が強いが、コイルバネから成る緩衝部材によっては振動モータから把持部に伝わる振動を解消することが困難である。
【００２３】
一方、小型マッサージ器において、振動モータとボディ片底部との間にコイルバネや板ばねを配置することは、マッサージ器の軸方向長の大型化を招くため、設計上は回避したい選択である。
【００２４】
本発明の防振ゲル６０はその中心穴６２内に、モータ本体４２を内蔵したヘッドベースの筒状部３４を可動な状態で支持しているため、ヘッドユニット３０全体をボディから浮いた状態で弾性的に支持することができる。このため、ヘッドユニット３０からの軸方向への振動、変位のみならず、外径方向への振動、変位、捻れ方向への振動、変位を防振ゲルが吸収緩和してボディへの到達を減殺することができ、把持部１２を把持する手指への振動、衝撃を大幅に減衰させることが可能となる。
【００２５】
図６（ｅ）（ｆ）の各断面図に示すように、防振ゲル６０は、中心部に軸方向に貫通する中心穴６２を有した空洞体であり、該中心穴内に振動モータが配置され、外周面にてボディ内壁面と対面（接触、非接触）している。各断面図に示すように外周壁６５の内壁から中心部に向けて複数のリブ６６を突出させることによりリブ間に空所を多数形成した空洞構造であることにより、緩衝部材として必要な形状、強度（保形性）を保ちつつ、質量を低減して高価なゲル状樹脂材料のコストを低減している。また、空洞構造であるため、加振部からの圧力により潰れながら捻れ方向へ変形することが容易となり、皮膚と接する加振部のクッション効果を高めることができる。
【００２６】
また、モータ本体４２を内蔵したヘッドベースの筒状部３４を防振ゲルの中心穴６２内に収納するため、マッサージ器全体の軸方向長を短縮することが可能となる。
また、防振ゲル６０は、防振モータの外径側を中心とした位置にあり、振動モータ底部と外側ボディ片内底面（或いは、内側ボディ片内底面）との間に介在しないため、マッサージ器の軸方向寸法が大型化することを防止できる。
なお、防振ゲルの一部が振動モータ底部と外側ボディ片内底面（或いは、内側ボディ片内底面）との間に介在する（突出する）構成としても、把持部への振動伝搬の減衰性能に支障はないため、防振ゲルが防振モータの外径側にのみに位置していることは必須の要件ではない。
【００２７】
把持部１２の位置が震動源である振動モータ４０や加振部の軸方向長の外径側にある場合に把持部を把持した手指に対する振動の伝搬を減衰させる効果が最大となるが、把持部が振動モータ等の振動源の軸方向長Ｌ（図１（ｇ））の範囲内に位置していることは必須ではない。即ち、ボディが軸方向に長尺であるために振動モータの軸方向長Ｌの範囲よりも下方、或いは上方寄りの位置に把持部の全部、又は一部が存在している場合であっても、振動モータから手指に伝わる振動によりしびれ等の不快感が発生することがあるので、この場合にも防振ゲルを振動モータの外径側、その他のボディ内壁の適所に配置することにより減衰効果を充分に発揮できる。
ヘッドユニット３０は防振ゲル６０により浮いた状態（浮動状態）で保持されているため、軸方向、径方向、傾斜方向等々任意の方向に変位可能であり、手指で把持したマッサージ器の加振部を被マッサージ部に対して任意の角度、任意の強度で接触させることが可能であり、操作性を高めることができる。
【００２８】
＜本発明の構成、作用、効果のまとめ＞
第１の本発明に係るマッサージ器は、加振部５０、５２、及び該加振部を振動させる振動モータ４０を備えたヘッドユニット３０と、振動モータの電源となる電池８０と、振動モータ、及び電池を収容し、且つ外面に把持部を備えたボディ１０と、を備え、ボディに固定したゲル状樹脂製の防振ゲル６０によりヘッドユニットを前記ボディに対して浮動状態（ボディと非接触）で支持したことを特徴とする。
手指で把持しつつ加振部を被マッサージ部に当接させるタイプの従来のマッサージ器にあっては、振動モータの振動が把持部から手指に伝わることを防止する対策が採られていない。ボディにより支持された加振部にクッション性を付与するためにコイルバネ、板ばね等の金属製弾性部材を使用することは知られているが、柔軟性に限界があり、把持部への振動の伝搬を防止することはできない（振動の減衰機能なし）。
【００２９】
本発明においては、非常に柔軟なゲル状樹脂材料から成る緩衝部材を用いて加振部にクッション性を与えると共に、把持部への防振用、緩衝用（ダンパー）として兼用している。
ボディが長尺で把持部が振動源となる振動モータや加振部から充分に離間している場合には手指がしびれる等の不具合は発生しにくいが、ボディが短尺で加振部と振動モータ等との距離が接近している場合には従来は振動モータ等からの振動が直接把持部を振動させる原因となる。そこで、本発明では、振動モータや加振部からの振動が伝達される範囲であって使用者が把持する把持部との間に振動伝達を遮断するための極めて柔軟性の高いゲル状樹脂材料から成る緩衝部材を配置することにより、振動が使用者にもたらす手指のしびれ、違和感、疲労感、その他の不快感をなくして快適な使用感を維持し、更に振動音を静音化することができる。
【００３０】
また、金属製のコイルバネ、板ばねによっては実現できない高い柔軟性を有したゲル状樹脂製緩衝部材を用いたことにより、加振部が皮膚に触れて振動を加える際の圧力の加減をソフトに調整することが可能となり、使用感を更に高めることができる。特に、敏感な患部や皮膚にダメージを与えることなく血流促進、老廃物の除去、疲労回復等といった本来のマッサージ効果を発揮できる。
【００３１】
第２の本発明に係るマッサージ器は、振動モータ４０と把持部１２との間に緩衝部材６０の少なくとも一部を配置したことを特徴とする。
振動モータの外径側に把持部が位置するマッサージ器にあっては、振動モータの外径方向位置、特に振動モータと把持部との間に緩衝部材の少なくとも一部を配置することにより緩衝効果を高めることができる。振動モータからの振動は接触している部材を介して種々な方向へ伝搬するが、振動モータを緩衝部材内部に浮動状態で支持した場合には振動モータの軸方向長Ｌを中心とした範囲に緩衝部材を接触させて配置することにより振動を効果的に減衰させてボディに到達することを阻止することができる。
この場合、緩衝部材は振動モータの軸方向全長をカバーする必要はなく、少なくとも振動モータの軸方向の一部をカバーする軸方向長を有していれば振動減衰は可能である。
なお、「振動モータ４０と把持部１２との間」とは、把持部が振動モータの軸方向長Ｌの範囲内にある場合のみならず、把持部が振動モータの軸方向長Ｌの範囲からずれた位置にある場合も含む。つまり、把持部が振動モータの軸方向長Ｌの外径方向に位置しない場合も含む。
【００３２】
第３の本発明に係るマッサージ器は、振動モータの軸方向長Ｌの範囲内に把持部の少なくとも一部が位置していることを特徴とする。
振動モータの軸方向長Ｌ内に把持部が存在する小型のマッサージ器において、振動モータと把持部との間に緩衝部材が存在しない場合には把持部の振動は耐えがたいものとなる。
本発明ではボディにより支持された緩衝部材により振動モータを宙づり状態（浮動状態、ボディと非接触状態）としているため、振動モータに対する把持部の位置関係、距離がどのような状態であっても、振動モータからボディに伝達される振動を減衰することが可能となる。特に、振動モータの軸方向長Ｌの範囲内に把持部の少なくとも一部が位置している小型マッサージ器に対して本発明の緩衝部材による振動源の支持構造を適用することにより、振動を効果的に減衰させてボディに到達することを阻止することができる。
【００３３】
第４の本発明に係るマッサージ器では、緩衝部材６０は、中心部に軸方向に貫通する中心穴６２を有し、該中心穴内に振動モータ４０が配置され、外周面にてボディ内壁面と対面（接触、非接触）していることを特徴とする。
緩衝部材６０の軸方向長内に振動モータが配置されているため、マッサージ器の全長を短くすることが可能となった。
緩衝部材６０は振動モータや加振部からの振動を把持部に伝達しない役割を有するため、振動の伝搬経路に配置されて減衰機能を発揮できれば足りるため、緩衝部材の外周面がボディ内壁と接触していることは要件ではない。
緩衝部材の内部は空洞であるため、必要な保形性を保持しつつ質量を少なくしており、材料費のコストダウンを図ることができる。また、空洞の存在により潰れながら捻れ変形することが可能となり、振動源から受ける回転方向への応力を減衰することが可能となる。
【符号の説明】
【００３４】
１…マッサージ器、１０…ボディ、１１…外側ボディ片、１１ａ…開口部、１１ｂ…開口部、１２…把持部、１３…コネクタ、１５…内側ボディ片、１５ａ…開口部、１５ｂ…開口部、３０…ヘッドユニット、３２…ヘッドベース、３４…筒状部、３６…フランジ、３６ａ…穴、３６ｂ…ネジ穴、４０…振動モータ、４２…モータ本体、４４…振動片、５０…ヘッド、５０ａ…ネジ穴、５２…軟質カバー、５２ａ…フランジ部、５４…押さえリング、５５…インシュレータシート、５５ａ…小孔、６０…緩衝部材（防振ゲル）、６０ａ…小孔、６２…中心穴、６２ａ…円形溝、６４…円形溝、７０…インナーリング、７５…アウターリング、７５ａ…小突起、７５ｂ…穴、８０…電池、８５…プリント基板、９０…スイッチ片。
【図１】
2020141849.tif 000003
【図２】
2020141849.tif 000004
【図３】
2020141849.tif 000005
【図４】
2020141849.tif 000006
【図５】
2020141849.tif 000007
【図６】
2020141849.tif 000008
【図７】
2020141849.tif 000009